(57)【特許請求の範囲】
【請求項１】
照明用光源と、該照明用光源から発せられる光を反射させて先端側に照射する照明用笠の内面部に設けられる反射面とが備えられた照明構造であって、
前記反射面が、広角タイプのもので、周方向において多角形からなると共に、基端側から先端側に向けて３段以上に角度を異ならせて開いていく多面体構造に形成され、
基端側の第１段部分の高さ寸法と、中間の第２段部分の高さ寸法と、先端側の第３段部分の高さ寸法との比が１：１〜２：２〜５に設定されると共に、
光の照射中心方向と直交する面に対する第１段部分の各反射面部の角度が１３５°〜１５５°の範囲に設定され、第１段部分の反射面部に対する第２段部分の各反射面部の角度が１５０°〜１７０°の範囲に設定され、第２段部分の反射面部に対する第３段部分の各反射面部の角度が１５０°〜１７０°の範囲に設定され、
第１段部分の反射面部で反射した光、第２段部分の反射面部で反射した光、及び、第３段部分の反射面部で反射した光が、いずれも、光源より先端側を通過するように構成されていることを特徴とする照明構造。
【請求項２】
照明用光源と、該照明用光源から発せられる光を反射させて先端側に照射する照明用笠の内面部に設けられる反射面とが備えられた照明構造であって、
前記反射面が、狭角タイプのもので、周方向において多角形からなると共に、基端側から先端側に向けて３段以上に角度を異ならせて開いていく多面体構造に形成され、
基端側の第１段部分の高さ寸法と、中間の第２段部分の高さ寸法と、先端側の第３段部分の高さ寸法との比が１：１〜２：２〜５に設定されると共に、
光の照射中心方向と直交する面に対する第１段部分の各反射面部の角度が１１５°〜１２３°の範囲に設定され、第１段部分の反射面部に対する第２段部分の各反射面部の角度が１８１°〜１９５°の範囲に設定され、第２段部分の反射面部に対する第３段部分の各反射面部の角度が１６０°〜１７０°の範囲に設定され、
第１段部分の反射面部で反射した光が、光源より基端側を通過し、第２段部分の反射面部で反射した光、及び、第３段部分の反射面部で反射した光が、光源より先端側を通過するように構成されていることを特徴とする照明構造。
【発明の詳細な説明】
【技術分野】
【０００１】
本発明は、照明用笠の内面部に設けられる反射面の構造に関する。
【背景技術】
【０００２】
照明用光源から発せられる光を反射させて先端側に照射する照明用笠の内面部に設けられる反射面の構造として、反射面が、周方向において１８角形〜２４角形からなると共に、基端側から先端側に向けて３段以上に角度を異ならせて開いていく多面体構造に形成されたものは、従来より提供されている。
【先行技術文献】
【特許文献】
【０００３】
【特許文献１】特開２００５−３４６９６８号公報
【発明の概要】
【発明が解決しようとする課題】
【０００４】
しかしながら、上記の反射面構造では、光源から光のロスについての配慮に欠けていて、第１段部分と第２段部分の反射面部の面積が第３段部分の反射面部の面積が大きすぎ、そのため、第１段部分や第２段部分の反射面部、とりわけ第１段部分の反射面部に反射した光が光源に向いてしまい、光のロスを大きくしているという問題があった。
【０００５】
本発明は、上記のような問題点に鑑み、光のロスを小さくして照度を上げることができる、照明用笠の内面部に設けられる反射面の構造を提供することを課題とする。
【課題を解決するための手段】
【０００６】
上記の課題は、照明用光源から発せられる光を反射させて先端側に照射する照明用笠の内面部に設けられる反射面の構造であって、
前記反射面が、周方向において多角形からなると共に、基端側から先端側に向けて３段以上に角度を異ならせて開いていく多面体構造に形成され、
基端側の第１段部分の高さ寸法と、中間の第２段部分の高さ寸法と、先端側の第３段部分の高さ寸法との比が１：１〜２：２〜５に設定されると共に、
光の照射中心方向と直交する面に対する第１段部分の各反射面部の角度が１３５°〜１５５°の範囲に設定され、第１段部分の反射面部に対する第２段部分の各反射面部の角度が１５０°〜１７０°の範囲に設定され、第２段部分の反射面部に対する第３段部分の各反射面部の角度が１５０°〜１７０°の範囲に設定されていることを特徴とする照明用笠の内面部に設けられる反射面の構造によって解決される（第１発明）。
【０００７】
この構造は、広角タイプのもので、基端側の第１段部分の高さ寸法と、中間の第２段部分の高さ寸法と、先端側の第３段部分の高さ寸法との比を上記のように設定すると共に、各段の反射面部の角度を上記のように設定することにより、基端側の第１段部分と第２段部分の反射面部の表面積を効果的に小さくすることができると共に、第１段部分と第２段部分の反射面部に反射した光が光源に向くのを回避することができて光のロスを小さくすることができ、それによって、照度を上げることができる。
【０００８】
また、上記の課題は、照明用光源から発せられる光を反射させて先端側に照射する照明用笠の内面部に設けられる反射面の構造であって、
前記反射面が、周方向において多角形からなると共に、基端側から先端側に向けて３段以上に角度を異ならせて開いていく多面体構造に形成され、
基端側の第１段部分の高さ寸法と、中間の第２段部分の高さ寸法と、先端側の第３段部分の高さ寸法との比が１：１〜２：２〜５に設定されると共に、
光の照射中心方向と直交する面に対する第１段部分の各反射面部の角度が１１５°〜１２３°の範囲に設定され、第１段部分の反射面部に対する第２段部分の各反射面部の角度が１８１°〜１９５°の範囲に設定され、第２段部分の反射面部に対する第３段部分の各反射面部の角度が１６０°〜１７０°の範囲に設定されていることを特徴とする照明用笠の内面部に設けられる反射面の構造によっても解決される（第２発明）。
【０００９】
この構造は、狭角タイプのもので、基端側の第１段部分の高さ寸法と、中間の第２段部分の高さ寸法と、先端側の第３段部分の高さ寸法との比を上記のように設定すると共に、各段の反射面部の角度を上記のように設定することにより、同様に、基端側の第１段部分と第２段部分の反射面部の表面積を効果的に小さくすることができると共に、第１段部分と第２段部分の反射面部に反射した光が光源に向くのを回避することができて光のロスを小さくすることができ、それによって、照度を上げることができる。
【発明の効果】
【００１０】
本発明の照明用笠の内面部に設けられる反射面の構造は、以上のとおりのものであるから、光のロスを小さくして照度を上げることができる。
【図面の簡単な説明】
【００１１】
【図１】第１実施形態の反射面構造を示すもので、図（イ）は図（ロ）のＩ−Ｉ線切断図、図（ロ）は底面図である。
【図２】第２実施形態の反射面構造を示すもので、図（イ）は図（ロ）のＩＩ−ＩＩ線切断図、図（ロ）は底面図である。
【発明を実施するための形態】
【００１２】
次に、本発明の実施形態を図面に基づいて説明する。
【００１３】
図１に示す第１実施形態の反射面構造は、高天井照明器具に用いられる広角タイプのもので、照明用光源１から発せられる光を反射させて先端側、本実施形態の場合は下方に照射する照明用笠の内面部に設けられるもので、反射面２は、該照明器具の内面部に予め備えられたものであってもよいし、後付けで設けられるものであってもよい。
【００１４】
該反射面２は、周方向において多角形、本実施形態では正１６角形からなっていると共に、基端側から先端側に向けて３段に角度を異ならせて開いていく多面体構造に形成されさている。
【００１５】
そして、
・  基端側の第１段部分３の高さ寸法ｈ１と、中間の第２段部分４の高さ寸法ｈ２と、先端側の第３段部分５の高さ寸法ｈ３との比が１：１〜２：２〜５に設定されると共に、
・  光の照射中心方向ｃと直交する面ｓに対する第１段部分３の各反射面部３ａの角度が１３５°〜１５５°の範囲に設定され、第１段部分３の反射面部３ａに対する第２段部分４の各反射面部４ａの角度が１５０°〜１７０°の範囲に設定され、第２段部分４の反射面部４ａに対する第３段部分５の各反射面部５ａの角度が１５０°〜１７０°の範囲に設定されている。
【００１６】
上記の反射面構造によれば、基端側の第１段部分３の高さ寸法ｈ１と、中間の第２段部分４の高さ寸法ｈ２と、先端側の第３段部分５の高さ寸法ｈ３との比を上記のように設定すると共に、各段３，４，５の反射面部３ａ，４ａ，５ａの角度を上記のように設定したので、基端側の第１段部分３と第２段部分４の反射面部３ａ…，４ａ…の表面積を効果的に小さくすることができると共に、第１段部分３と第２段部分４の反射面部３ａ…，４ａ…に反射した光が光源１に向くのを回避することができて光のロスを小さくすることができ、それによって、照度を上げることができる。
【００１７】
なお、本実施形態の場合には、第１段部分３の反射面部３ａ…で反射した光、第２段部分４の反射面部４ａ…で反射した光、及び、第３段部分５の反射面部５ａ…で反射した光を、いずれも、光源１より下方を通過させることのできる構成となっていて、それにより、反射した光が光源１に向くのを回避するようになされている。
【００１８】
図２に示す第２実施形態の反射面構造は、狭角タイプのもので、
・  基端側の第１段部分３の高さ寸法ｈ１と、中間の第２段部分４の高さ寸法ｈ２と、先端側の第３段部分５の高さ寸法ｈ３との比が、第１実施形態の場合と同様に、１：１〜２：２〜５に設定されると共に、
・  光の照射中心方向ｃと直交する面ｓに対する第１段部分３の各反射面部３ａの角度については１１５°〜１２３°の範囲に設定され、第１段部分３の反射面部３ａに対する第２段部分４の各反射面部４ａの角度については１８１°〜１９５°の範囲に設定され、第２段部分４の反射面部４ａに対する第３段部分５の各反射面部５ａの角度については１６０°〜１７０°の範囲に設定されている。その他は、第１実施形態と同様である。
【００１９】
上記の反射面構造によっても、基端側の第１段部分３の高さ寸法ｈ１と、中間の第２段部分４の高さ寸法ｈ２と、先端側の第３段部分５の高さ寸法ｈ３との比を上記のように設定すると共に、各段３，４，５の反射面部３ａ，４ａ，５ａの角度を上記のように設定したことによって、基端側の第１段部分３と第２段部分４の反射面部３ａ，４ａ，５ａの表面積を効果的に小さくすることができると共に、第１段部分３と第２段部分４の反射面部３ａ…，４ａ…に反射した光が光源１に向くのを回避することができて光のロスを小さくすることができ、それによって、照度を上げることができる。
【００２０】
なお、本実施形態の場合には、第１段部分３の反射面部３ａ…で反射した光を、光源１より上方を通過させることができ、第２段部分４の反射面部４ａ…で反射した光、及び、第３段部分５の反射面部５ａ…で反射した光を、光源１より下方を通過させることのできる構成となっていて、それにより、反射した光が光源１に向くのを回避するようになされている。
【００２１】
以上に、本発明の実施形態を示したが、本発明はこれに限られるものではなく、発明思想を逸脱しない範囲で各種の変更が可能である。例えば、上記の実施形態では、反射面２が周方向において正１６角形からなっている場合を示したが、それよりも多くても少なくてもよい。
【符号の説明】
【００２２】
１…照明用光源
２…反射面
３…第１段部分
３ａ…反射面部
４…第２段部分
４ａ…反射面部
５…第３段部分
５ａ…反射面部
【図１】
0005599989.tif 000002
【図２】
0005599989.tif 000003